(57)【要約】【課題】消費電流を集中監視するシステムの省配線化を図る。【解決手段】ＡＳ−ｉ通信機能付ＡＣコンセント１０は、圧接ピン６によりＡＳ−ｉケーブル３に圧接接続し、そのＡＳ−ｉ通信用ＬＳＩ３１がＡＳ−ｉケーブル３を介してＡＳ−ｉマスタ３２と通信可能になる。オスプラグ２を既存のＡＣコンセントに差込み、メスプラグ１に任意の電化製品を接続し、この電化製品の消費電流を電流検出装置２０によって検出する。検出された消費電流は、ＡＳ−ｉ通信用ＬＳＩ３１によってＡＳ−ｉマスタ３２に通知される。【選択図】図２
2008046049.tif 000002
【特許請求の範囲】
【請求項１】
ＡＣコンセントに接続するオスプラグと、
任意の電化製品に接続するメスプラグと、
前記電化製品の消費電流を検出する電流検出装置と、
ＡＳ−ｉケーブルに物理的に接続する接続手段と、
前記電流検出手段で検出した前記消費電流を、前記ＡＳ−ｉケーブルを介して、該ＡＳ−ｉケーブルに接続しているＡＳ−ｉマスタに送信する通信用プロセッサと、
を有することを特徴とするＡＳ−ｉ通信機能付ＡＣコンセント。
【請求項２】
前記オスプラグから前記メスプラグに流れる電流を遮断するスイッチを設け、
前記電流検出装置は、前記検出した消費電流と電流制限値とに基づいて、該消費電流が該電流制限値を越えた場合は該スイッチをＯＦＦ制御することを特徴とする請求項１記載のＡＳ−ｉ通信機能付ＡＣコンセント。
【請求項３】
電流制限値設定器を更に備え、
前記電流制限値は該電流制限値設定器により設定されることを特徴とする請求項２記載のＡＳ−ｉ通信機能付ＡＣコンセント。
【請求項４】
前記電流制限値は前記ＡＳ−ｉマスタが前記前記ＡＳ−ｉケーブルを介して前記通信用プロセッサに送信し、
前記前記電流検出手段は、該通信用プロセッサが受信した電流制限値を用いて前記スイッチのＯＮ／ＯＦＦ制御を行うことを特徴とする請求項２記載のＡＳ−ｉ通信機能付ＡＣコンセント。
【請求項５】
前記電流検出装置の電源及び前記スイッチの駆動電源を、前記ＡＣコンセントから取得する電力の一部から生成する電源回路を更に有することを特徴とする請求項１記載のＡＳ−ｉ通信機能付ＡＣコンセント。
【請求項６】
ＡＳ−ｉケーブルに接続しているＡＳ−ｉマスタと、
ＡＣコンセントに接続するオスプラグと、任意の電化製品に接続するメスプラグと、前記電化製品の消費電流を検出する電流検出装置と、前記ＡＳ−ｉケーブルに物理的に接続する接続手段と、前記電流検出手段で検出した前記消費電流を、前記ＡＳ−ｉケーブルを介して前記ＡＳ−ｉマスタに送信する通信用プロセッサとを有するＡＳ−ｉ通信機能付ＡＣコンセントと、
を有することを特徴とする消費電流検出制御システム。
【請求項７】
任意の電化製品に接続するメスプラグと、
前記電化製品の消費電流を検出する電流検出装置と、
ＡＳ−ｉケーブルに物理的に接続する接続手段と、
前記電流検出手段で検出した前記消費電流を、前記ＡＳ−ｉケーブルを介して、該ＡＳ−ｉケーブルに接続しているＡＳ−ｉマスタに送信する通信用プロセッサと、
を有することを特徴とするＡＳ−ｉ通信機能付ＡＣコンセント。
【発明の詳細な説明】
【技術分野】
【０００１】
本発明は、消費電流検出制御システム、ＡＳ−ｉ通信機能付ＡＣコンセント等に関する。
【背景技術】
【０００２】
近年、省エネ、節約ブームにより、電気料金の見直しを流行しており、契約アンペアを下げることが１つの有効な案となっている。但し、安易に契約アンペアを下げると、頻繁にブレーカが落ちる事態に成りかねない。この為、家庭やオフィス内の各電化製品や工場内の各機器等の消費電流を計測する必要がある。あるいは、消費電流が大きい電化製品を特定することで、この電化製品の使用方法を再考したり、省エネタイプへと交換する等して、全体の消費電流を下げること等も考えられる。何れにしても、建物内に多数存在するＡＣコンセント（これに接続された電化製品等）における消費電流を計測するシステムが求められる。
【０００３】
この様な背景に係わり、まず、特許文献１には、電化製品の消費電流を監視し制御する、プラグ式電力計が記載されている。このプラグ式電力計は、一般家庭の各コンセントに設けられ、電力線を通して各コンセントの使用電力データを高周波重畳して伝送する。これを、パソコンでモニタする。プラグ式電力計は、計測された電力信号を高調波変調するディジタル変調器や、パソコンからの命令で回路を遮断するスイッチ等を有する。
【０００４】
特許文献２に記載の従来技術は、一端がプラグで他端がコンセントになった通信制御装置であって、電気機器の使用状況に応じて通電を制御し省電力化を実現するものである。そして、特許文献２には、負荷への通電と遮断を切り替える負荷遮断手段、及び通信部81を介して外部の集中コントローラ等と通信を行うことが記載されている。
【０００５】
特許文献３には、電気機器を使用した場合に、電流値がブレーカの許容電流を超えないようにする電流制限アダプタであって、入力／出力差込プラグ、電流制限部により、許容電流を越えたとき電流遮断すること、並びに、遠隔操作によりＯＮ／ＯＦＦさせることが開示されている。
【０００６】
特許文献４には、コンセントの所定の負荷への給電を制御するコンセント用アダプタが開示されており、このアダプタは、Ａ／Ｄ変換器、コンセントへの通電を遮断するスイッチを有し、計測した負荷電流データを他のコンセント用アダプタに送信する（あるいは他のアダプタから受信する）機能を有する。
【０００７】
特許文献５には、ＡＳ−ｉネットワークを用いて、アナログ入力スレーブが外部の機器から電流等のアナログ信号を吸い上げて、ＡＳ−ｉライン経由でマスタ側へ送信することが開示されている。
【０００８】
特許文献６には、リモートＩ／Ｏとの通信リンクにおいて、ＡＳ−ｉを有利に用いることができる旨の記載がある。
また、特許文献７の発明では、電源タップに消費電流検知機能とネットワーク接続端子を設け、消費電流を報知する装置を提案している。
【０００９】
図１０に、従来例の構成ブロック図を示す。
図示の構成では、パソコン１０１、ディスプレイ５２等が電流検知判定装置１００に接続され、電流検知判定装置１００はパソコン１０１、ディスプレイ１０２等の消費電流を検知してディジタルデータに変換する。そして、電流検知判定装置１００は、このディジタルデータを、ハブ１０３、ネットワーク１０４を介して、端末装置１０５へ送信する。
【特許文献１】実用新案登録第３０６７７６８号公報
【特許文献２】特開２００１−３３３５３０号公報
【特許文献３】特開平６−２７６６７６号公報
【特許文献４】特開平１０−２４８１６４号公報
【特許文献５】特開２００４−１３３８６２号公報
【特許文献６】特開２００１−１７７５５８号公報
【特許文献７】特開２００４−１０１４７６号公報
【発明の開示】
【発明が解決しようとする課題】
【００１０】
上記特許文献１の発明では、ブロックフィルタを各家庭に必ず一台以上設置する必要がある。これは、パッシブフィルタのハイパスフィルタで構成すると、かなり大きな装置となり、コストアップとなる。
【００１１】
また、特許文献２の発明では、無線通信の為の送信機、受信機、アンテナ等が別途必要となる。
また、多数の箇所に分散・設置された被監視機器の消費電流を測定する場合には、１つの電流検知判定装置毎にネットワークケーブル１本が必要になる為（各ケーブルは例えば上記ハブ１０３に接続される）、多数のケーブルを配設する必要があり、コスト高となると共に配線工数が掛かる。
【００１２】
本発明の課題は、建物内の各ＡＣコンセントに係わる消費電流を集中監視するシステムにおいて、ＡＳ−ｉ技術を用いることで基本的に配線は１本のみで済むようにして配線工数を削減でき、各ＡＣコンセント又は該ＡＣコンセントに接続するアダプタに電流検出機能とＡＳ−ｉ通信機能を一体化することでコストダウンを実現でき、更に異常な電流消費を検出して電力供給を遮断することができる消費電流検出制御システム、ＡＳ−ｉ通信機能付ＡＣコンセント等を提供することである。
【課題を解決するための手段】
【００１３】
本発明のＡＳ−ｉ通信機能付ＡＣコンセントは、ＡＣコンセントに接続するオスプラグと、任意の電化製品に接続するメスプラグと、前記電化製品の消費電流を検出する電流検出装置と、ＡＳ−ｉケーブルに物理的に接続する接続手段と、前記電流検出手段で検出した前記消費電流を、前記ＡＳ−ｉケーブルを介して、該ＡＳ−ｉケーブルに接続しているＡＳ−ｉマスタに送信する通信用プロセッサとを有する。
【００１４】
上記構成の各ＡＳ−ｉ通信機能付ＡＣコンセントを、各々、既存の各所のＡＣコンセントに接続し且つ1本のケーブル（ＡＳ−ｉ）に接続するだけで、ＡＳ−ｉマスタ側で各所の消費電流を一括収集・管理できるシステムを構築できる。
【００１５】
また、例えば、前記オスプラグから前記メスプラグに流れる電流を遮断するスイッチを設け、前記電流検出装置は、前記検出した消費電流と電流制限値とに基づいて、該消費電流が該電流制限値を越えた場合は該スイッチをＯＦＦ制御することができるようにしてもよい。電流制限値は設定器により設定してもよいし、前記ＡＳ−ｉマスタが設定してもよい。
【００１６】
また、例えば、前記電流検出装置の電源及び前記スイッチの駆動電源を、前記ＡＣコンセントから取得する電力の一部から生成する電源回路を更に有するようにしてもよい。これによって、これら電源用のケーブルを配設する必要はなくなる。
【発明の効果】
【００１７】
本発明の消費電流検出制御システム、ＡＳ−ｉ通信機能付ＡＣコンセント等によれば、建物内の各ＡＣコンセントに係わる消費電流を集中監視するシステムにおいて、ＡＳ−ｉ技術を用いることで基本的に配線は１本のみで済むようにして配線工数を削減でき、各ＡＣコンセント又は該ＡＣコンセントに接続するアダプタに電流検出機能とＡＳ−ｉ通信機能を一体化することでコストダウンを実現できる。更に異常な電流消費を検出して電力供給を遮断することができる。
【発明を実施するための最良の形態】
【００１８】
以下、図面を参照して本発明の実施の形態について説明する。
図１（ａ）、（ｂ）は、本例の消費電流検出制御システムに用いられるＡＳ−ｉ通信機能付ＡＣコンセントの外観図である。尚、図１（ａ）は側面図、図１（ｂ）は正面図であるので、以下、図１（ａ）と（ｂ）とを分けずに図１として説明するものとする。これは図２以降も同様である。
【００１９】
図１に示すＡＳ−ｉ通信機能付ＡＣコンセント１０は、外観としては、メスプラグ１（コンセント）、オスプラグ２、ケーブル押さえ４、ネジ５、及び圧接ピン６を有する。
ＡＳ−ｉ通信機能付ＡＣコンセント１０利用の際には、オスプラグ２を建物内の任意のＡＣコンセントに差込み、任意の電化製品のオスプラグをメスプラグ１に差し込む。つまり、本例では、ＡＳ−ｉ通信機能付ＡＣコンセント１０は、既存のＡＣコンセントに接続するアダプタである。但し、後述するように、この例に限らず、既存のＡＣコンセントにＡＳ−ｉ通信機能付ＡＣコンセント１０の機能を設けるようにしてもよい。
【００２０】
また、ＡＳ−ｉ通信機能付ＡＣコンセント１０は、建物内に配設されるＡＳ−ｉケーブル３に接続する。これは、まず、ケーブル押さえ４とネジ５を緩めた状態で、ＡＳ−ｉケーブル３を図示の様に圧接ピン６がある場所（凹部）へ挿入する。そして、ネジ５を締めることによってケーブル押さえ４がＡＳ−ｉケーブル３を圧接ピン６の方向へと押し込むことで、ＡＳ−ｉケーブル３内に圧接ピン６が差し込まれ、圧接ピン６とＡＳ−ｉケーブル３内の芯線とが圧接接続される。尚、ＡＳ−ｉケーブル３と物理的に接続する構成は、圧接ピン６に限らない。
【００２１】
尚、上記建物とは、例えば一般家庭の家、小規模の店舗（例えばスーパーやコンビニ）、工場等の建物である。
図２に、第１の実施例による消費電流検出制御システムと上記ＡＳ−ｉ通信機能付ＡＣコンセント１０の構成図を示す。
【００２２】
図２において図１に示す構成と同一の構成には同一符号を付してある。
まず、上記図１に示すメスプラグ１とオスプラグ２とは、図２に示すように、ＡＳ−ｉ通信機能付ＡＣコンセント１０内部で線路２４により直結している。ＡＳ−ｉ通信機能付ＡＣコンセント１０は、電流検出装置２０とＡＳ−ｉ通信用ＬＳＩ３１を有する。電流検出装置２０は、変流器２１、Ａ／Ｄ変換器２２、マイコン２３を有する。
【００２３】
変流器（カレントトランス）ＣＴ２１は、線路２４近傍に図示の通り設けられ、線路２４を流れる電流（上記任意の電化製品の消費電流）を、非接触で検出して（特許文献２等と同様、センシング等して）、Ａ／Ｄ変換器２２へ出力する。Ａ／Ｄ変換器２２は、変流器２１が検出した電流値（アナログデータ）を、アナログ／ディジタル変換して、マイコン２３へ出力する。マイコン２３は、この電流値(ディジタルデータ)を入力して、例えば単位時間毎（数秒〜数十秒毎、１分毎等）の消費電流値を算出する等して、この消費電流データをＡＳ−ｉ通信用ＬＳＩ３１に渡す。
【００２４】
ＡＳ−ｉ通信用ＬＳＩ３１及びＡＳ−ｉマスタ３２は、一般的なＡＳ−ｉネットワークでも用いられている既存の構成であり、ＡＳ−ｉ通信用ＬＳＩ３１とＡＳ−ｉマスタ３２とは、ＡＳ−ｉケーブル３を介して、シリアル通信を行う。ＡＳ−ｉ通信用ＬＳＩ３１は、上記消費電流データを、ＡＳ−ｉケーブル３を介して、ＡＳ−ｉマスタ３２に送信する。
【００２５】
ここで、ＡＳ−ｉは、Actuator-Sensor-Interfaceであり、ＡＳ−ｉシステムはよく知られているオープン省配線ネットワークであり、特にＰＬＣ（プログラマブルコントローラ）において各Ｉ／Ｏモジュールと各種センサ／アクチュエータを接続する部分に適用されている。ＡＳ−ｉシステムでは、例えば１台のマスタと多数のスレーブとが一本のケーブルにより接続される。本例の構成では、上記ＡＳ−ｉマスタ３２がこのマスタに相当し、ＡＳ−ｉ通信機能付ＡＣコンセント１０がこのスレーブに相当する。
【００２６】
尚、本例のＡＳ−ｉマスタ３２は、各ＡＳ−ｉ通信機能付ＡＣコンセント１０からＡＳ−ｉケーブル３を介して各消費電流データを収集して記憶すると共にこのデータを表示する機能も備えていても良い。あるいは、このデータ収集・表示機能は、ＡＳ−ｉマスタ３２に接続された不図示のパソコン等が実行するようにしてもよい。また、各ＡＣコンセントに対してＡＳ−ｉケーブル３を介して、後述する電流制限値を設定したりスイッチのＯＮ／ＯＦＦを判定して指示する機能を、ＡＳ−ｉマスタ３２又は不図示のパソコンが有していてもよい。勿論、これら機能・処理を実現する為に、ＡＳ−ｉマスタ３２又は不図示のパソコンには、ＣＰＵ、メモリ等の記憶部が備えられており、この記憶部に予め記憶されているアプリケーションプログラムを、このＣＰＵが読み出し・実行することで、これら機能・処理が実現される。
【００２７】
尚、ＡＳ−ｉ通信用ＬＳＩ３１は圧接ピン６に接続している。また、ＡＳ−ｉマスタ３２には、図示の通り、ＡＳ−ｉ電源３３から電力供給されている（ＡＳ−ｉ通信用ＬＳＩ３１にも電力供給される：ＡＳ−ｉケーブルは１本のケーブルで電源と信号を送信できる。上記圧接ピン６の２本のピンが各々電源線と信号線に接続する）。これとは別に、電流検出装置２０は、ＤＣ２４Ｖ電源３４から電力供給されて動作している。
【００２８】
図３に、第２の実施例による消費電流検出制御システムと上記ＡＳ−ｉ通信機能付ＡＣコンセント１０の構成図を示す。尚、図３において図２の構成と略同一の構成については、同一符号を付してあり、その説明は省略する。
【００２９】
図３の構成において、図２の構成と異なる点は、上記メスプラグ１とオスプラグ２とを結ぶ線路２４上にスイッチ４１を設けており、このスイッチ４１をマイコン２３が信号線４２を介してＯＮ／ＯＦＦ制御する構成となっている点である。更に、ＡＳ−ｉマスタ３２は、ＡＳ−ｉケーブル３とＡＳ−ｉ通信用ＬＳＩ３１を介してマイコン２３に対して任意の電流制限値を送信し、マイコン２３は、電流検出値が電流制限値以下になるように、スイッチ４１をＯＮ／ＯＦＦ制御する。あるいは、ＡＳ−ｉマスタ３２が、電流検出値に基づいて、スイッチ４１をＯＮ／ＯＦＦ指示を出し、マイコン２３は、この指示に基づいてスイッチ４１をＯＮ／ＯＦＦ制御するようにしてもよい。
【００３０】
図４に、第３の実施例による消費電流検出制御システムと上記ＡＳ−ｉ通信機能付ＡＣコンセント１０の構成図を示す。尚、図４において図３の構成と略同一の構成については、同一符号を付してあり、その説明は省略する。
【００３１】
第２の実施例では電流制限値をＡＳ−ｉマスタ３２が設定したが、第３の実施例では図４に示す電流制限値設定器５１により電流制限値を設定する。すなわち、ＡＳ−ｉ通信機能付ＡＣコンセント１０に電流制限値設定器５１を設け、作業員等が電流制限値設定器５１を操作して所望の電流制限値を設定し、この設定値はマイコン２３内部のメモリ（不図示）に記憶される。その後は、第２の実施例と同様である。
【００３２】
図５（ａ）、（ｂ）に、上記第３の実施例におけるＡＳ−ｉ通信機能付ＡＣコンセント１０の外観図を示す。図１と同一の構成には同一符号を付してある。
図５（ｂ）の正面図に示す通り、図示のコンセント１０には、上記電流制限値設定器５１が設けられている。電流制限値設定器５１には、図示の様な複数のボタン等が備えられており、作業員等は、このボタンを手動で操作して、所望の電流制限値を設定する。
【００３３】
図６に、第４の実施例による消費電流検出制御システムと上記ＡＳ−ｉ通信機能付ＡＣコンセント１０の構成図を示す。尚、図６において図３の構成と略同一の構成については、同一符号を付してあり、その説明は省略する。
【００３４】
図２〜図５の構成では、電流検出装置２０は、ＤＣ２４Ｖ電源３４から補助電源ケーブル５を介して、電力供給されて動作していた。また、説明していないが、図３、図４におけるスイッチ４１のＯＮ／ＯＦＦ駆動電源も、ＤＣ２４Ｖ電源３４である。第４の実施例では、図６に示す通り、ＤＣ２４Ｖ電源３４や補助電源ケーブル３５は必要なくなっている。その代わりに、図６の構成では、整流器６１、レギュレータＩＣ６２、コンデンサＣ１，Ｃ２、抵抗Ｒから成る電源回路６０（レギュレート・レクチファイア）を設けている。この電源回路は、ＡＣコンセントから供給される交流電力から、上記電流検出装置２０やスイッチ４１駆動用の電源（直流）を生成するものであり、よく知られている一般的な構成であるので特に説明しない（整流器６１で整流（交流→直流）して、レギュレータＩＣ６２でこの直流の電圧を安定化する）。
【００３５】
尚、図示の記号Ｐ，Ｍは、単に、電源回路６０の出力が、図示の通り、電流検出装置２０に入力することを示しているだけである。
図７（ａ）、（ｂ）に、上記第２の実施例におけるマイコン２３の処理フローチャート図（その１）、（その２）を示す。
【００３６】
まず、図７（ａ）に示す処理フローチャート図（その１）について説明する。
図示の処理では、まず前提として、ＡＳ−ｉマスタ３２がＡＳ−ｉケーブル３を介してＡＳ−ｉ通信用ＬＳＩ３１に対して任意の電流制限値Ｂを送信しているものとする。
【００３７】
そして、マイコン２３は、Ａ／Ｄ変換器２２が出力する電流値Ａを受け取ると（ステップＳ１１）、上記ＡＳ−ｉ通信用ＬＳＩ３１から上記電流制限値Ｂを読み込み（ステップＳ１２）、値Ａと値Ｂとを比較する。そして、もしＡ＞Ｂであれば（ステップＳ１３，ＹＥＳ）、すなわち消費電流値が電流制限値を越えた場合には、スイッチ４１をＯＦＦ制御する（ステップＳ１５）。一方、もしＡ≦Ｂであるならば（ステップＳ１３，ＮＯ）、そのままスイッチ４１はＯＮ状態のままとする（ステップＳ１４）。
【００３８】
最後に、上記ステップＳ１１で受け取った電流値Ａを、（ＡＳ−ｉマスタ３２に通知する為に）ＡＳ−ｉ通信用ＬＳＩ３１に書き込み（ステップＳ１６）、ステップＳ１１に戻る。尚、スイッチ４１をＯＦＦにした場合には、その旨を、ＡＳ−ｉマスタ３２に通知するようにしてもよい。これは他の処理においても同様である。
【００３９】
まず、図７（ｂ）に示す処理フローチャート図（その２）について説明する。
図示の処理は、上記「ＡＳ−ｉマスタ３２がスイッチ４１のＯＮ／ＯＦＦ指示を出す」形態の処理である。従って、ＡＳ−ｉマスタ３２がＡＳ−ｉケーブル３を介してＡＳ−ｉ通信用ＬＳＩ３１に対して任意の回路遮断信号Ｃを送信している。尚、この信号Ｃは、スイッチ４１のＯＮ指示又はＯＦＦ指示である。尚、ＡＳ−ｉマスタ３２は上記電流制限値Ｂを記憶しており、上記図７（ａ）の処理と同様に、消費電流値と比較することで、ＯＮ指示かＯＦＦ指示かを判定する。尚、消費電流値は後述するステップＳ２４の処理によってＡＳ−ｉマスタ３２に通知される。
【００４０】
マイコン２３は、Ａ／Ｄ変換器２２が出力する電流値Ａを受け取ると（ステップＳ２１）、上記ＡＳ−ｉ通信用ＬＳＩ３１から上記回路遮断信号Ｃを読み込み（ステップＳ２２）、この回路遮断信号Ｃに従って、スイッチ４１をＯＮ制御又はＯＦＦ制御する（ステップＳ２３）。最後に、上記ステップＳ２１で受け取った電流値Ａを、（ＡＳ−ｉマスタ３２に通知する為に）ＡＳ−ｉ通信用ＬＳＩ３１に書き込み（ステップＳ２４）、ステップＳ２１に戻る。
【００４１】
ＡＳ−ｉマスタ３２は、ＡＳ−ｉ通信用ＬＳＩ３１から今回の電流値Ａを受け取ると、スイッチ４１をＯＮ制御すべきかＯＦＦ制御すべきかを判定し、この判定結果に基づいて上記回路遮断信号ＣをＡＳ−ｉ通信用ＬＳＩ３１に送信する。マイコン２３は、次回の図６（ｂ）の処理において、この回路遮断信号Ｃに従ってスイッチ４１をＯＮ／ＯＦＦ制御することになる。
【００４２】
図８に、上記第３の実施例におけるマイコン２３の処理フローチャート図を示す。
図示の処理では、マイコン２３は、Ａ／Ｄ変換器２２が出力する電流値Ａを受け取ると（ステップＳ３１）、上記電流制限値設定器５１から上記設定された電流制限値Ｂを読み出し（ステップＳ３２）、値Ａと値Ｂとを比較する。そして、もしＡ＞Ｂであれば（ステップＳ３３，ＹＥＳ）、すなわち消費電流値が電流制限値を越えた場合には、スイッチ４１をＯＦＦ制御する（ステップＳ３５）。一方、もしＡ≦Ｂであるならば（ステップＳ３３，ＮＯ）、スイッチ４１はＯＮのままとする（ステップＳ３４）。
【００４３】
最後に、上記ステップＳ３１で受け取った電流値Ａを、（ＡＳ−ｉマスタ３２に通知する為に）ＡＳ−ｉ通信用ＬＳＩ３１に書き込み（ステップＳ３６）、ステップＳ３１に戻る。尚、上記電流制限値設定器５１に設定された電流制限値ＢをＡＳ−ｉマスタ３２に通知する為に、この電流制限値ＢもＡＳ−ｉ通信用ＬＳＩ３１に書き込むようにしてもよい（ステップＳ３７）。
【００４４】
尚、上記図７（ａ）、（ｂ）、図８に示すフローチャートの処理は、マイコン２３内蔵のメモリに予め記憶されている所定のアプリケーションプログラムを、マイコン２３内の演算処理部が読み出し・実行することにより実現される。
【００４５】
図９（ａ）、（ｂ）に、他の実施例を示す。
例えば、図９（ａ）に示すように、ＡＳ−ｉ通信機能付ＡＣコンセント１０に表示部７１を備えさせ、マイコン２３が、Ａ／Ｄ変換器２２から取得した電流値Ａを、表示部７１に表示させる構成としてもよい。勿論、この場合でも、電流値ＡをＡＳ−ｉマスタ３２に通知してよい。これによって、ユーザ／作業者等は、ＡＳ−ｉマスタ３２において建物内の各所の電力消費状況を集中監視できるだけでなく、建物内の各所において直接、電力消費状況を知ることができる。
【００４６】
また、既に述べた通り、ＡＳ−ｉ通信機能付ＡＣコンセント１０の機能を、既存のコンセント（壁面に取り付けるローゼットタイプのコンセント）に適用してもよい（勿論、この場合、オスプラグ２は必要なく、直接、電力線に接続される）。この変形例によれば、例えば図９（ｂ）に示すように、ＡＳ−ｉケーブル３は壁内等に配設されることになる。特に、本発明品を一般家庭に適用する場合、配線がＡＳ−ｉケーブル一本のみで済むとはいえ、室内側に配設される為に非常に見苦しいが、この変形例では、壁内に配設されるので（ローゼットの裏に隠せるので）、人の目に触れることはないので、この様な問題は解消される。
【００４７】
また、尚、コンセントは、一般的な電灯線コンセント（２ピン）に限らず、例えば動力用コンセント（３ピン）としてもよい。
上述した消費電流検出制御システム、ＡＳ−ｉ通信機能付ＡＣコンセント等によれば、建物内の各ＡＣコンセントに係わる消費電流を集中監視するシステムにおいて、ＡＳ−ｉ技術を用いることで基本的に配線は１本のみで済むようにして配線工数を削減できる。また、各ＡＣコンセント又は該ＡＣコンセントに接続するアダプタに電流検出機能とＡＳ−ｉ通信機能を一体化することでコストダウンを実現でき、また簡単に各電化製品の消費電流を測定できる。また、契約電力を低減するには、どの機器の省エネ化を行えばよいかが分かるようになる。契約電力を低減できれば、電気料金を節約できるようになる。
【００４８】
更に異常な電流消費を検出して電力供給を遮断することができる。また、ＡＳ−ｉケーブルを人の目に触れないように隠して配設することもでき、一般家庭等にも十分に対応可能となる。また、測定・収集した各所のＡＣコンセント（そこに接続した電化製品等）の消費電流データに基づき、各系統を平準化すれば、最適な電気系統設計が簡単に行えるという効果も得られる。
【図面の簡単な説明】
【００４９】
【図１】ＡＳ−ｉ通信機能付ＡＣコンセントの外観図であり、（ａ）は側面図、（ｂ）は正面図である。
【図２】第１の実施例による消費電流検出制御システムとＡＳ−ｉ通信機能付ＡＣコンセントの構成図である。
【図３】第２の実施例による消費電流検出制御システムとＡＳ−ｉ通信機能付ＡＣコンセントの構成図である。
【図４】第３の実施例による消費電流検出制御システムとＡＳ−ｉ通信機能付ＡＣコンセントの構成図である。
【図５】第３の実施例におけるＡＳ−ｉ通信機能付ＡＣコンセント１０の外観図であり、（ａ）は側面図、（ｂ）は正面図である。
【図６】第４の実施例による消費電流検出制御システムとＡＳ−ｉ通信機能付ＡＣコンセントの構成図である。
【図７】（ａ）、（ｂ）は、第２の実施例におけるマイコンの処理フローチャート図（その１）、（その２）である。
【図８】第３の実施例におけるマイコンの処理フローチャート図である。
【図９】他の実施例を示す図である。
【図１０】従来技術の構成図である。
【符号の説明】
【００５０】
１      メスプラグ（コンセント）
２      オスプラグ
３      ＡＳ−ｉケーブル
４      ケーブル押さえ
５      ネジ
６      圧接ピン
１０      ＡＳ−ｉ通信機能付ＡＣコンセント
２０      電流検出装置
２１      変流器
２２      Ａ／Ｄ変換器
２３      マイコン
２４      線路
３１      ＡＳ−ｉ通信用ＬＳＩ
３２      ＡＳ−ｉマスタ
３３      ＡＳ−ｉ電源
３４      ＤＣ２４Ｖ電源
４１      スイッチ
４２      信号線
５１      電流制限値設定器
６０      電源回路
６１      整流器
６２      レギュレータＩＣ
【図１】
2008046049.tif 000003
【図２】
2008046049.tif 000004
【図３】
2008046049.tif 000005
【図４】
2008046049.tif 000006
【図５】
2008046049.tif 000007
【図６】
2008046049.tif 000008
【図７】
2008046049.tif 000009
【図８】
2008046049.tif 000010
【図９】
2008046049.tif 000011
【図１０】
2008046049.tif 000012